(57)【要約】【課題】接地状態の確認が容易な受皿ユニットを提供する。【解決手段】パチンコ機１０の皿ユニット４０が開閉可能に設けられている。皿ユニット４０の裏面には、側板１０２とロック部材１０６が露出して配置されており、側板１０２、ロック部材１０６、スピーカ３５、球送り装置４５、及び整列通路４６がアース線Ｇ１〜Ｇ４で接続されている。整列通路４６及びスピーカ３５で発生した静電気は、ロック部材１０６を経由して側板１０２に移動し、さらに、支持ピン１１０、底板３８を経由してパチンコ機１０の電源線の接地側に接地される。このように、皿ユニット４０が開閉式で、皿ユニット４０を開けるとロック部材１０６、側板１０２、１０４、アース線Ｇ１〜Ｇ４が露出しており、皿ユニット４０を分解しなくても接地状態を確認できる。【選択図】図５
2008086439.tif 000002
【特許請求の範囲】
【請求項１】
遊技機本体の前面に開閉可能に設けられ、遊技球を貯留する受皿を備えた受皿ユニットにおいて、
前記受皿ユニットの裏面に露出して配置され、前記遊技機本体に設けられた本体接地部材に接続された接地部材を備えたことを特徴とする受皿ユニット。
【請求項２】
前記受皿ユニットのヒンジ部及び前記受皿ユニットの開放自由端側にあるロック部のいずれか一方、又は両方に、前記本体接地部材と接続された導電性部材が設けられ、前記接地部材と前記導電性部材とが導通していることを特徴とする請求項１に記載の受皿ユニット。
【請求項３】
前記受皿ユニットに設けられた複数の電動器の接地線が接続され、前記接地部材に接続される中継接地部材が、前記受皿ユニットの裏面に露出して配置されたことを特徴とする請求項１又は請求項２に記載の受皿ユニット。
【請求項４】
前記受皿ユニットの裏面に前記電動器の前記接地線を集約して引き出す開口部を設けたことを特徴とする請求項３に記載の受皿ユニット。
【発明の詳細な説明】
【技術分野】
【０００１】
本発明は、遊技機の遊技球を貯留する受皿ユニットに関する。
【背景技術】
【０００２】
従来、パチンコ機等の遊技機において、制御回路の保護、又は貯留部に貯留された遊技球の静電気を放電することを目的として、貯留部の底面に導電性部材を設け、さらに導電性部材を接地（アース）したものがある。（例えば、特許文献１参照）。
【特許文献１】特開２００２−２８３３３号公報
【発明の開示】
【発明が解決しようとする課題】
【０００３】
しかしながら、特許文献１の遊技機では、受皿の上皿、下皿、遊技球を発射するためのハンドル、及びスピーカ等の音響装置を一つのユニットとして遊技機本体に開閉可能に設けた場合、ユニット内で複数の接地線を乱雑に配線処理することとなり、接地状態の確認が容易ではなかった。
【０００４】
本発明は、上記事実を考慮して、接地状態の確認が容易な受皿ユニットを提供することを目的とする。
【課題を解決するための手段】
【０００５】
本発明の請求項１に係る受皿ユニットは、遊技機本体の前面に開閉可能に設けられ、遊技球を貯留する受皿を備えた受皿ユニットにおいて、前記受皿ユニットの裏面に露出して配置され、前記遊技機本体に設けられた本体接地部材に接続された接地部材を備えたことを特徴としている。
【０００６】
上記構成によれば、受皿ユニットが開閉式で、受皿ユニットを開けると接地部材が露出しており、受皿ユニットを分解しなくても接地状態を確認できるので、受皿ユニットの接地状態の確認が容易となる。
【０００７】
本発明の請求項２に係る受皿ユニットは、前記受皿ユニットのヒンジ部及び前記受皿ユニットの開放自由端側にあるロック部のいずれか一方、又は両方に、前記本体接地部材と接続された導電性部材が設けられ、前記接地部材と前記導電性部材とが導通していることを特徴としている。
【０００８】
上記構成によれば、本体接地部材と接続された導電性部材が、ヒンジ部及びロック部のいずれか一方、又は両方に集約されるので、受皿ユニットの組立てが容易となる。また、受皿ユニットの接地状態の確認が容易となる。
【０００９】
本発明の請求項３に係る受皿ユニットは、前記受皿ユニットに設けられた複数の電動器の接地線が接続され、前記接地部材に接続される中継接地部材が、前記受皿ユニットの裏面に露出して配置されたことを特徴としている。
【００１０】
上記構成によれば、中継接地部材により複数の電動器の接地線が集約されて接地部材に接続されるので、配線処理が簡素化され、組立てが容易となる。
【００１１】
本発明の請求項４に係る受皿ユニットは、前記受皿ユニットの裏面に前記電動器の前記接地線を集約して引き出す開口部を設けたことを特徴としている。
【００１２】
上記構成によれば、受皿ユニットの裏面に設けられた開口部から、電動器の接地線を集約して引き出すので、接地線を個別に引き出すことがなくなり、受皿ユニットの組立てが容易となる。
【発明の効果】
【００１３】
本発明は、上記構成としたので  受皿ユニットの接地状態の確認が容易となる。
【発明を実施するための最良の形態】
【００１４】
以下、本発明の実施形態に係る受皿ユニットについて図面を参照して説明する。
【００１５】
（パチンコ機の構成）
図１及び図２には、パチンコ機１０が示されている。
【００１６】
図１及び図２に示すように、パチンコ機１０は、パチンコ機１０の外郭を構成するとともにパチンコホールの島設備に設置される矩形状の外枠１２を備えている。
【００１７】
外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００１８】
内枠１４は、外枠１２の左上角部と下飾り１６の左上角部とに設けられた一対のヒンジ部１８、２０に、左側端部が軸支されて開閉可能に取り付けられている。
【００１９】
内枠１４の前面上部には、パチンコ機１０の前面上部を構成するガラス枠２２が配置されている。ガラス枠２２は、縦長略楕円形の窓部２４にガラス板２６が装着されるとともに、左側端部が内枠１４に軸支されて開閉可能に取り付けられている。
【００２０】
ガラス枠２２の裏面側となる内枠１４の前面上部には、矩形状の開口部１５が形成されている。この内枠１４の開口部１５には、遊技盤Ｇが着脱（交換）可能にセットされている。
【００２１】
遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００２２】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２３】
一方、内枠１４の前面下部には、パチンコ機１０の前面下部を構成する皿ユニット４０が配置されている。
【００２４】
皿ユニット４０は、皿ユニット４０の本体部を構成するベース４１の左側端部が、内枠１４に軸支されて開閉可能に取り付けられている。
【００２５】
ベース４１の前面上部には、パチンコ球を遊技盤Ｇへ向けて発射するために貯留して発射装置６０へ供給する上皿４２が突設されている。また、ベース４１の前面下部における上皿４２の左下には、上皿４２に貯留しきれないパチンコ球を貯留するための下皿４４が突設されている。
【００２６】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。
【００２７】
ベース４１によって構成された上皿４２の奥壁面における右側端部には、内枠１４の裏面に設けられた払出装置６２（図３参照）から払い出された貸し球や賞球が排出される球排出口４８が形成されている。
【００２８】
下皿４４の奥壁面における右側端部には、上皿４２に貯留しきれないパチンコ球が排出される球排出口４９が形成されている。
【００２９】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。
【００３０】
また、ベース４１の前面略中央は矩形箱状に膨出しており、内部には、遊技の進行に応じて効果音を出力する重低音用のスピーカ３５（図４参照）が設けられている。スピーカ３５から出力された音は、ベース４１の前面に形成された開口部５８から出力される。
【００３１】
図２に示すように、ベース４１の裏面における略中央部には、上皿４２に貯留しきれないパチンコ球を下皿４４へ流下させる球通路７０が設けられている。
【００３２】
球通路７０は、上端部に通路入口７２が形成され、下端部に形成された通路出口は、球排出口４９と連通している。球通路７０よりも回転支軸に近い側には、球送り装置４５が取り付けられている。
【００３３】
一方、皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３４】
貯球タンク７４は、上面が開口した箱型とされ、タンク底面が正面視にて左側から右側へ向けて下り傾斜している。
【００３５】
貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出す、オーバーフロー部７８が形成されている。
【００３６】
図２及び図３に示すように、内枠１４の裏面における開放側（裏面視左側）の側端部には、内枠１４及びガラス枠２２を施錠するための施錠装置６４が取付けられている。
【００３７】
施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。
【００３８】
施錠装置６４にはシリンダー錠６６が設けられており、シリンダー錠６６は、皿ユニット４０の前面右上に露出されている。
【００３９】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。
【００４０】
さらに、ガラス枠２２を開放することで露出されるロック装置６８のロック解除レバー６９を操作すると、内枠１４にロックされていた皿ユニット４０がロック解除されて開放可能となる。
【００４１】
皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００４２】
図３に示すように、内枠１４の裏面における上部には、島設備から供給されたパチンコ球を貯留するための上タンク８０及び下タンク８２が設けられている。
【００４３】
内枠１４裏面の回転支軸側（裏面右側）の側端部には、上タンク８０及び下タンク８２に貯留されたパチンコ球を貯球タンク７４（図２参照）側へ流下させる上部球通路ユニット８４及び下部球通路ユニット８６が延設されている。
【００４４】
上部球通路ユニット８４と下部球通路ユニット８６の間には、パチンコ球を所定数ずつ払い出す払出装置６２が取り付けられている。また、下部球通路ユニット８６の下側には、発射装置６０が取付けられている。
【００４５】
発射装置６０の左側には、払出装置６２を制御してパチンコ球の払い出しを実行及び停止させる払出制御基板８８が設けられている。
【００４６】
払出制御基板８８は、払出停止制御と払出実行制御を実行可能に設けられている。
【００４７】
払出停止制御の場合、払出制御基板８８は、払出装置６２を駆動停止させてパチンコ球の払い出しを停止する。
【００４８】
一方、払出実行制御の場合、図１〜図３に示すように、払出制御基板８８は、払出装置６２を駆動させて、上タンク８０及び下タンク８２から上部球通路ユニット８４を流下し払出装置６２に誘導されたパチンコ球を、貸し球又は賞球として下部球通路ユニット８６へ払い出す。
【００４９】
そして、下部球通路ユニット８６を通り貯球タンク７４へ誘導されたパチンコ球は、貯球タンク７４内を上流側（左側）から下流側（右側）へ転動して球排出口４８から排出され、上皿４２に貯留される。
【００５０】
さらに、パチンコ球は上皿４２内を下流側（左側）へ流下しつつ整列通路４６により１列に整列され、遊技者の発射ハンドル５４の操作により、球送り装置４５により１球ずつ発射装置６０に送り込まれる。
【００５１】
発射装置６０に送り込まれたパチンコ球は、発射装置６０によって遊技盤Ｇの遊技領域ＰＡへ発射される（図２の矢印Ａ方向）。このパチンコ球が遊技領域ＰＡを自重落下する過程で入賞又は外れとなることにより、遊技盤Ｇにてパチンコ球を用いた遊技が行われる。
【００５２】
遊技の進行に伴い、大量のパチンコ球が賞球として払い出されるなどし、上皿４２が満タンになると、上皿４２に貯留しきれないパチンコ球は貯球タンク７４に貯留される。
【００５３】
さらに貯球タンク７４が満タンになると、パチンコ球はオーバーフロー部７８から溢れ出す。この貯球タンク７４から溢れ出したパチンコ球は、通路入口７２に落下して球通路７０を流下し、球排出口４９から排出されて下皿４４に貯留される。
【００５４】
また、遊技の終了時などに、上皿４２の前面左側に設けられた上皿用球抜きレバー５０を操作すると、整列通路４６の最下流部が開放して、上皿４２に貯留されたパチンコ球が球通路７０へ排出され下皿４４へ流下する。
【００５５】
さらに、下皿４４がパチンコ球で満タンになったときや遊技の終了時などに、下皿４４の前面下側に設けられた下皿用球抜きレバー５２を操作すると、下皿底面の一部が開放して、下皿４４に貯留されたパチンコ球が下皿４４の下方に配置された図示しない球箱へ排出される。
【００５６】
一方、内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００５７】
シャッター板９０、９２は、皿ユニット４０が閉塞されると各々下方へ移動して、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。
【００５８】
このシャッター板９０、９２によって、皿ユニット４０を開放した際に、貯球タンク７４及び上皿４２からパチンコ球が流出しないよう塞き止められる。
【００５９】
（皿ユニットの構成）
次に、皿ユニット４０の構成について説明する。
【００６０】
図４に示すように、皿ユニット４０は、正面左側部に支持部３２が形成されている。
【００６１】
支持部３２の上面側には凹部１０８が形成されており、下面側には図示しないバネの付勢力により鉛直方向に突出し、外部からの押圧力により支持部３２内に収納される支持ピン１１０が設けられている。
【００６２】
一方、皿ユニット４０の正面右側部の裏面には、皿ユニット４０をパチンコ機１０に固定するためのロック部材１０６が突設されている。
【００６３】
また、皿ユニット４０の内部上方には、前述の整列通路４６が設けられており、下方には音を出力するためのスピーカ３５が設けられている。整列通路４６上には、パチンコ球ＰＢが整列される。
【００６４】
ここで、支持ピン１１０、ロック部材１０６、整列通路４６は、いずれも材質が鉄等の金属材料であり、導電性を有している。
【００６５】
図５は、皿ユニット４０を裏面側から見た状態を示している。
【００６６】
図５に示すように、パチンコ機１０の内枠１４の左側部には、支持部３２の外形と略等しい大きさの係合部３４が形成されている。
【００６７】
係合部３４には、突ピン３６と底板３８が設けられている。
【００６８】
突ピン３６は、係合部３４の上端から下方に向けて突設されており、突ピン３６が支持部３２の凹部１０８と係合することにより、皿ユニット４０が位置決めされる。
【００６９】
底板３８は、鉄等の金属材料で構成され導電性であり、内枠１４内を経由してパチンコ機１０の図示しない電源線の接地側に接続されている。また、底板３８は、鉛直方向に図示しない凹部が形成されている。
【００７０】
ここで、矢印Ｘ方向に皿ユニット４０をスライドさせるとともに、突ピン３６により位置決めし、底板３８の凹部と前述の支持ピン１１０とを係合させることにより、皿ユニット４０が支持部３２を回転中心として、パチンコ機１０の前面で開閉可能となる。
【００７１】
また、皿ユニット４０の裏面右側部には、側板１０２、１０４が露出して配置されており、それぞれネジでベース４１に締結されている。
【００７２】
側板１０２、１０４は、いずれも鉄等の金属材料で構成され、導電性を有している。また、側板１０２、１０４、及び支持ピン１１０はベース４１の内部で導通している。側板１０２には、ネジによる締結部１１８、１２０が設けられている。
【００７３】
締結部１１８には、導電性のアース線Ｇ３の一端が接続されており、締結部１２０には、導電性のアース線Ｇ４の一端が接続されている。アース線Ｇ４の他端は、球送り装置４５に接続されている。
【００７４】
一方、皿ユニット４０は、ロック部材１０６が内枠１４の図示しない係止穴に係止されることにより、パチンコ機１０に固定される。
【００７５】
ここで、ロック部材１０６は、係止される箇所を除く部分が略Ｌ字形の平板となっており、皿ユニット４０の裏面左側部に露出して配置され、複数のネジでベース４１に締結されている。
【００７６】
ロック部材１０６の右側部には、ネジによる締結部１１４、１１６が設けられている。
【００７７】
ここで、整列通路４６の下部に設けられた締結部１１１には、導電性のアース線Ｇ１の一端が接続されており、スピーカ３５には、導電性のアース線Ｇ２の一端が接続されている。また、発射ハンドル５４に接続された図示しないアース線が、ロック部材１０６に接続されている。
【００７８】
ベース４１の裏面には、略矩形状の開口１１２が形成されており、アース線Ｇ１及びアース線Ｇ２が開口１１２から引き出され、アース線Ｇ１の他端が締結部１１４に、アース線Ｇ２の他端が締結部１１６にそれぞれ接続されている。
【００７９】
次に、本実施形態の作用について説明する。
【００８０】
パチンコ球が上部球通路ユニット８４及び払出装置６２（図３参照）を流下し、整列通路４６上に貯留されるとき、又は、遊技者が整列通路４６にパチンコ球を投入するとき、パチンコ球の表面は静電気により帯電する場合がある。
【００８１】
この静電気は、アース線Ｇ１を通じてロック部材１０６に移動し、さらに、アース線Ｇ３を通じて側板１０２に移動する。側板１０２に移動した静電気は、支持ピン１１０及び底板３８を介して、パチンコ機１０の電源線の接地側に接地される。このように、ロック部材１０６を中継部材としてパチンコ球の静電気が除去されるので、遊技者がパチンコ球を触っても不快に感じることがなくなる。
【００８２】
同様にして、スピーカ３５で発生した静電気は、アース線Ｇ２を通じてロック部材１０６に移動し、アース線Ｇ３、側板１０２、支持ピン１１０、及び底板３８を経由して、パチンコ機１０の電源線の接地側に接地される。これにより、スピーカ３５のノイズ発生が抑えられる。
【００８３】
また、球送り装置４５で発生した静電気は、アース線Ｇ４を通じて側板１０２に移動し、支持ピン１１０及び底板３８を経由して、パチンコ機１０の電源線の接地側に接地される。
【００８４】
以上説明したように、皿ユニット４０が開閉式で、皿ユニット４０を開けると、ロック部材１０６、側板１０２、１０４、アース線Ｇ１〜Ｇ４が露出しており、皿ユニット４０を分解しなくても接地状態を確認できるので、皿ユニット４０の接地状態の確認が容易となる。
【００８５】
また、ロック部材１０６、側板１０２、アース線Ｇ１〜Ｇ４が、皿ユニット４０の支持部及びロック部（ロック部材）のいずれか一方、又は両方に集約されるので、皿ユニット４０の組立てが容易となり、皿ユニット４０の接地状態の確認が容易となる。
【００８６】
さらに、ロック部材１０６を中継接地部材として、スピーカ３５、発射ハンドル５４等の接地用のアース線が集約されるので、配線処理が簡素化され、組立てが容易となる。
【００８７】
また、皿ユニット４０の裏面に設けられた開口１１２から、アース線Ｇ１、Ｇ２を集約して引き出すので、アース線Ｇ１、Ｇ２を個別に引き出すことがなくなり、皿ユニット４０の組立てが容易となる。
【００８８】
さらに、アース線Ｇ１、Ｇ２を、側板１０２ではなく、整列通路４６及びスピーカ３５に近いロック部材１０６に接続し、ロック部材１０６を中継部材として側板１０２に接続するので、アース線Ｇ１、Ｇ２の長さを短くすることができ、アース線Ｇ１〜Ｇ４が乱雑に配置されることがなくなる。
【００８９】
なお、本発明は上記の実施形態に限定されない。
【００９０】
ロック部材１０６は、Ｌ字形以外に、コの字形、平板等の形状としてもよい。
【００９１】
締結部１１１、１１４、１１６、１１８、及び１２０におけるアース線Ｇ１〜Ｇ４の接続は、ネジによる締結以外に、半田付けによるものであってもよい。
【００９２】
開口１１２の位置は、アース線Ｇ１及びＧ２を短くできる範囲で、皿ユニット４０のいずれの位置にあってもよい。
【図面の簡単な説明】
【００９３】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係る皿ユニットの平面図及び正面図である。
【図５】本発明の実施形態に係る皿ユニットの背面図である。
【符号の説明】
【００９４】
１０  パチンコ機
１４  内枠（遊技機本体）
３２  支持部（ヒンジ部）
３５  スピーカ（電動器）
３８  底板（本体接地部材）
４０  皿ユニット（受皿ユニット）
４２  上皿（受皿）
４４  下皿（受皿）
４５  球送り装置（電動器）
５４  発射ハンドル（電動器）
１０２  側板（接地部材、導電性部材）
１０４  側板（接地部材）
１０６  ロック部材（導電性部材、中継接地部材、ロック部）
１１０  支持ピン（接地部材）
１１２  開口（開口部）
Ｇ１  アース線（接地線）
Ｇ２  アース線（接地線）
Ｇ３  アース線（接地線）
Ｇ４  アース線（接地線）
ＰＢ  パチンコ球（遊技球）
【図１】
2008086439.tif 000003
【図２】
2008086439.tif 000004
【図３】
2008086439.tif 000005
【図４】
2008086439.tif 000006
【図５】
2008086439.tif 000007